(57)【要約】【課題】媒体積載部に積載された媒体の姿勢の乱れを低減すること。【解決手段】画像が記録された媒体（Ｓ）が積載される媒体積載部（ＴＲｈ）に媒体（Ｓ）を排出する媒体排出部材（Ｒｈ）と、前記媒体排出部材（Ｒｈ）の媒体搬送方向下流側に配置されて、前記媒体積載部（ＴＲｈ）に向けて排出される媒体（Ｓ）に対して荷電した気体を吹付ける荷電気体吹付け装置（１）と、を備えたことを特徴とする媒体搬送装置（１９）。【選択図】図３
2010039141.tif 000002
【特許請求の範囲】
【請求項１】
画像が記録された媒体が積載される媒体積載部に媒体を排出する媒体排出部材と、
前記媒体排出部材の媒体搬送方向下流側に配置されて、前記媒体積載部に向けて排出される媒体に対して荷電した気体を吹付ける荷電気体吹付け装置と、
を備えたことを特徴とする媒体搬送装置。
【請求項２】
使用される前記媒体の種類である媒体種類に基づいて、吹付けられる前記荷電気体の電荷量および風量のいずれかまたは全てを設定する吹付け設定手段、
を備えたことを特徴とする請求項１に記載の媒体搬送装置。
【請求項３】
前記媒体が前記媒体積載部に排出される排出速度に基づいて、吹付けられる前記荷電気体の電荷量および風量のいずれかまたは全てを設定する吹付け設定手段、
を備えたことを特徴とする請求項１または２に記載の媒体搬送装置。
【請求項４】
前記荷電気体の吹付け方向を制御する風向制御部材を有する前記荷電気体吹付け装置と、
前記風向制御部材を制御して、前記媒体積載部において、前記媒体を前記媒体排出方向に垂直な媒体幅方向にずらして排出させる風向制御手段と、
を備えたことを特徴とする請求項１ないし３のいずれかに記載の媒体搬送装置。
【請求項５】
前記媒体排出部材の作動および作動停止に連動して作動する前記荷電気体吹付け装置、
を備えたことを特徴とする請求項１ないし４のいずれかに記載の媒体搬送装置。
【請求項６】
媒体に画像を記録する画像記録装置と、
請求項１ないし５のいずれかに記載の媒体搬送装置と、
を備えたことを特徴とする画像形成装置。
【発明の詳細な説明】
【技術分野】
【０００１】
本発明は、媒体搬送装置および画像形成装置に関する。
【背景技術】
【０００２】
従来の電子写真方式の画像形成装置において、記録媒体を除電する技術として、特許文献１記載の技術が知られている。
特許文献１としての特開平６−１８３６２８号公報には、排出トレイ（１６）にシート（Ｐ）を排出する排出コロ（１４ａ，１４ｂ）に対して、搬送方向下流側に配置された除電手段である除電ブラシ（１５）で、排出されるシート（Ｐ）の表面に接触して除電する技術が記載されている。すなわち、特許文献１では、排出されるシート（Ｐ）の種類や帯電の状態に関わらず、シート（Ｐ）に向かって吊り下げられた除電ブラシ（１５）とシート（Ｐ）との接触で除電が行われている。特許文献１では、除電ブラシ（１５）には、ブラシの毛の束がシート（Ｐ）の幅方向に一定の間隔をあけて直線状に配置されている。すなわち、シート（Ｐ）の幅方向に沿って前記間隔ごとに除電を行っている。
【０００３】
【特許文献１】特開平６−１８３６２８号公報（「００６４」、図１（ｂ）、図２）
【発明の開示】
【発明が解決しようとする課題】
【０００４】
本発明は、媒体積載部に積載された媒体の姿勢の乱れを低減することを技術的課題とする。
【課題を解決するための手段】
【０００５】
前記技術的課題を解決するために、請求項１記載の発明の媒体搬送装置は、
画像が記録された媒体が積載される媒体積載部に媒体を排出する媒体排出部材と、
前記媒体排出部材の媒体搬送方向下流側に配置されて、前記媒体積載部に向けて排出される媒体に対して荷電した気体を吹付ける荷電気体吹付け装置と、
を備えたことを特徴とする。
【０００６】
請求項２に記載の発明は、請求項１に記載の媒体搬送装置において、
使用される前記媒体の種類である媒体種類に基づいて、吹付けられる前記荷電気体の電荷量および風量のいずれかまたは全てを設定する吹付け設定手段、
を備えたことを特徴とする。
【０００７】
請求項３に記載の発明は、請求項１または２に記載の媒体搬送装置において、
前記媒体が前記媒体積載部に排出される排出速度に基づいて、吹付けられる前記荷電気体の電荷量および風量のいずれかまたは全てを設定する吹付け設定手段、
を備えたことを特徴とする。
【０００８】
請求項４に記載の発明は、請求項１ないし３のいずれかに記載の媒体搬送装置において、
前記荷電気体の吹付け方向を制御する風向制御部材を有する前記荷電気体吹付け装置と、
前記風向制御部材を制御して、前記媒体積載部において、前記媒体を前記媒体排出方向に垂直な媒体幅方向にずらして排出させる風向制御手段と、
を備えたことを特徴とする。
【０００９】
請求項５に記載の発明は、請求項１ないし４のいずれかに記載の媒体搬送装置において、
前記媒体排出部材の作動および作動停止に連動して作動する前記荷電気体吹付け装置、
を備えたことを特徴とする。
【００１０】
前記技術的課題を解決するために、請求項６記載の発明の画像形成装置は、
媒体に画像を記録する画像記録装置と、
請求項１ないし５のいずれかに記載の媒体搬送装置と、
を備えたことを特徴とする。
【発明の効果】
【００１１】
請求項１に記載の発明によれば、媒体積載部に積載された媒体の姿勢の乱れを低減することができる。
【００１２】
請求項２に記載の発明によれば、本構成を有しない場合に比べ、媒体の種類に対応して効率的に除電できる。
請求項３に記載の発明によれば、本構成を有しない場合に比べ、媒体の搬送速度に対応して、効率的に除電できる。
請求項４に記載の発明によれば、荷電気体の吹付けとオフセット排出とを共通の荷電気体吹付け装置で行うことができる。
請求項５に記載の発明によれば、本構成を有しない場合に比べ、荷電気体吹付け装置の無駄な作動を低減することができる。
請求項６に記載の発明によれば、媒体積載部に積載された媒体の姿勢の乱れを低減することができる。
【発明を実施するための最良の形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の全体説明図である。
図１において、本発明の実施例１の画像形成装置の一例としてのプリンタＵは、画像が記録される媒体の一例としての記録媒体Ｓが収容される給紙容器ＴＲ１が下部に収容されており、上面には媒体積載部の一例としての媒体排出部ＴＲｈが設けられている。また、プリンタＵの上部には、操作者が指示を入力する動作指示入力部の一例としてのユーザインタフェースＵＩが設けられている。
図１において、実施例１のプリンタＵは、画像形成装置本体Ｕ１と、画像形成装置本体Ｕ１の右側下端部に設けられた回転中心Ｕ２ａを中心として開閉可能な開閉部Ｕ２を有する。前記開閉部Ｕ２は、後述するプロセスカートリッジの交換や紙詰まりした記録媒体Ｓを除去するために画像形成装置本体Ｕ１の内部を開放する図示しない開放位置と、図１に示す画像形成動作が実行される通常時に保持される通常位置との間を移動可能に構成されている。
【００１５】
プリンタＵは、プリンタＵの各種制御を行う制御部Ｃと、制御部Ｃにより作動を制御される画像処理部ＧＳ、像書込装置駆動回路ＤＬ、および電源装置Ｅ等を有している。電源装置Ｅは、後述の帯電器の一例としての帯電ロールＣＲｙ〜ＣＲｋ、現像剤保持体の一例としての現像ロールＧ１ｙ〜Ｇ１ｋおよび転写手段の一例としての転写ロールＴ１ｙ〜Ｔ１ｋ等に電圧を印加する。
【００１６】
前記画像処理部ＧＳは、外部の画像情報送信装置等から入力された印刷情報を、Ｋ（黒），Ｙ（イエロー），Ｍ（マゼンタ），Ｃ（シアン）の４色の画像に対応した潜像形成用の画像情報に変換して、所定のタイミングで像書込装置駆動回路ＤＬに出力する。像書込装置駆動回路ＤＬは、入力された各色の画像情報に応じて駆動信号を潜像形成手段の一例としての潜像書込装置ＲＯＳに出力する。前記潜像書込装置ＲＯＳは、駆動信号に応じて、各色の画像書き込み用の画像書込光の一例としてのレーザビームＬｙ，Ｌｍ，Ｌｃ，Ｌｋを出射する。
図１において、前記潜像書込装置ＲＯＳの右方にはＹ（イエロー），Ｍ（マゼンタ），Ｃ（シアン），Ｋ（黒）の各色の可視像の一例としてのトナー像を形成する画像記録部の一例としての可視像形成装置ＵＹ，ＵＭ，ＵＣ，ＵＫが配置されている。
【００１７】
図２は本発明の実施例１の着脱体の一例である可視像形成装置の説明図である。
図２において、Ｋ（黒）の可視像形成装置ＵＫは回転する像保持体の一例としての感光体Ｐｋを有する。前記感光体Ｐｋの周囲には、帯電器の一例としての帯電ロールＣＲｋ、感光体表面の静電潜像を可視像に現像する現像手段の一例としての現像装置Ｇｋ、感光体Ｐｋ表面を除電する除電部材Ｊｋ、感光体Ｐｋ表面に残留した現像剤を除去する像保持体清掃器の一例としての感光体クリーナＣＬｋ等が配置されている。
【００１８】
また、前記現像装置Ｇｋは、現像剤が収容される現像容器Ｖと、前記現像容器Ｖ内に収容された現像剤を保持して回転する現像剤保持体の一例としての現像ロールＧ１ｋを有する。前記現像容器Ｖ内には、現像ロールＧ１ｋに対向して配置され、現像ロールＧ１ｋ表面の現像剤の層厚を規制する層厚規制部材Ｓｋが設けられている。また、前記現像容器Ｖは、前記現像ロールＧ１ｋに供給される現像剤が撹拌しながら搬送される撹拌搬送室Ｖ１，Ｖ２を有し、前記撹拌搬送室Ｖ１，Ｖ２内には、現像剤を循環搬送する循環搬送部材Ｒ１，Ｒ２が配置されている。左側の撹拌搬送室Ｖ２には、現像剤を補給する現像剤補給路Ｈ１が接続されており、前記現像剤補給路Ｈ１には補給用の現像剤が収容される第１の現像剤補給室Ｈ２が接続されている。
【００１９】
また、前記第１の現像剤補給室Ｈ２は、現像剤補給接続路Ｈ３を介して、上方に配置された第２の現像剤補給室Ｈ４に接続されている。現像剤補給路Ｈ１、第１の現像剤補給室Ｈ２、現像剤補給接続路Ｈ３および第２の現像剤補給室Ｈ４には、それぞれ、前記撹拌搬送室Ｖ１，Ｖ２に向けて現像剤を搬送する補給現像剤搬送部材Ｒ３，Ｒ４，Ｒ５，Ｒ６，Ｒ７が配置されている。前記符号Ｈ１〜Ｈ４、Ｒ３〜Ｒ７を付した部材により、実施例１の現像剤補給容器Ｈ１〜Ｈ４＋Ｒ３〜Ｒ７が構成されている。
【００２０】
前記感光体Ｐｋは、帯電ロールＣＲｋと対向する帯電領域Ｑ１ｋで帯電ロールＣＲｋにより表面を一様に帯電された後、潜像形成領域Ｑ２ｋでレーザビームＬｋにより潜像が書き込まれる。書き込まれた静電潜像は現像装置Ｇｋと対向する現像領域Ｑｇｋにおいて静電潜像が可視像化される。
実施例１の黒色の可視像形成装置ＵＫは、感光体Ｐｋ、帯電器ＣＲｋ、現像装置Ｇｋ、除電部材Ｊｋ、感光体クリーナＣＬｋ、現像剤補給容器Ｈ１〜Ｈ４＋Ｒ３〜Ｒ７等が一体的に着脱可能な着脱体、いわゆるプロセスカートリッジＵＫにより構成されており、開閉部Ｕ２を開放位置に移動した状態で画像形成装置本体Ｕ１に対して着脱可能に構成されている。
他の色の可視像形成装置ＵＹ，ＵＭ，ＵＣも、黒色の可視像形成装置ＵＫと同様に、画像形成装置本体Ｕ１に対して着脱可能な着脱体、いわゆる、プロセスカートリッジＵＹ，ＵＭ，ＵＣにより構成されている。なお、実施例１のプリンタＵでは、各プロセスカートリッジＵＹ〜ＵＫは、上下方向に並んで配置されている。
【００２１】
図１において、前記感光体Ｐｙ〜Ｐｋの右方には、帯状部材駆動装置の一例としてのベルトモジュールＢＭが配置されている。前記ベルトモジュールＢＭは、各プロセスカートリッジＵＹ〜ＵＫに対向して配置された帯状部材の一例としての無端状の媒体搬送ベルトＢを有する。前記媒体搬送ベルトＢは、張架部材の一例としてのベルト支持ロールＲｄ＋Ｒｊにより回転可能に支持されている。前記ベルト支持ロールＲｄ＋Ｒｊは、媒体搬送方向上流側である下方に配置された上流側張架部材の一例であり且つ駆動部材の一例としてのベルト駆動ロールＲｄと、媒体搬送方向下流側である上方に配置された下流側張架部材の一例であり且つ従動部材の一例としての従動ロールＲｊと、媒体搬送ベルトＢを挟んで各感光体Ｐｙ〜Ｐｋに対向して配置された転写器の一例としての転写ロールＴ１ｙ，Ｔ１ｍ，Ｔ１ｃ，Ｔ１ｋを有する。
【００２２】
前記媒体搬送ベルトＢの媒体搬送方向下流側、すなわち、上側には、所定の時期に、制御部Ｃの図示しない画像濃度調整手段により形成される濃度検出用の画像、いわゆるパッチ画像の濃度を検出する画像濃度検出部材の一例としての画像濃度センサＳＮ１が配置されている。なお、前記画像濃度センサＳＮ１で検出された画像濃度に基づいて、制御部Ｃの画像濃度調整手段は、帯電ロールＣＲｙ〜ＣＲｋや現像装置Ｇｙ〜Ｇｋ、転写ロールＴ１ｙ〜Ｔ１ｋへ印加する電圧の調整、潜像書込光Ｌｙ〜Ｌｋの強度の調整を行うことにより、画像濃度の調整や補正、いわゆる、プロセスコントロールを行う。
前記画像濃度センサＳＮ１の媒体搬送ベルトＢの媒体搬送方向の下流側には、搬送部材清掃器の一例としてのベルトクリーナＣＬｂが配置されている。また、前記駆動ロールＲｄに、媒体搬送ベルトＢを挟んで対向する位置には、記録媒体Ｓを媒体搬送ベルトＢに吸着させる記録媒体吸着部材の一例としての媒体吸着ロールＲｋが配置されている。
【００２３】
媒体搬送ベルトＢの下方に配置された給紙容器ＴＲ1の記録媒体Ｓは、媒体取出し部材の一例としてのピックアップロールＲｐにより取り出され、媒体捌き部材の一例としてのさばきロールＲｓにより１枚ずつ分離されて、記録媒体搬送路ＳＨに搬送される。
記録媒体搬送路ＳＨの記録媒体Ｓは、繰出部材の一例として、媒体搬送ベルトＢへの給紙時期を調整するレジロールＲｒに送られる。レジロールＲｒは、所定のタイミングで、駆動ロールＲｄと媒体吸着ロールＲｋとの対向領域である記録媒体吸着位置Ｑ６に前記記録媒体Ｓを繰り出す。前記記録媒体吸着位置Ｑ６に搬送された記録媒体Ｓは、前記媒体搬送ベルトＢに静電吸着される。
【００２４】
前記媒体搬送ベルトＢに吸着された記録媒体Ｓは、前記感光体Ｐｙ〜Ｐｋと接触する前記転写領域Ｑ３y，Ｑ３m，Ｑ３c，Ｑ３kを順次通過する。
前記転写領域Ｑ３y，Ｑ３m，Ｑ３c，Ｑ３kにおいて媒体搬送ベルトＢの裏面側に配置された転写ロールＴ１y，Ｔ１m，Ｔ１c，Ｔ１kには、制御部Ｃにより制御される電源回路Ｅから所定のタイミングでトナーの帯電極性と逆極性の転写電圧が印加される。
多色画像の場合、前記各感光体Ｐｙ〜Ｐｋ上のトナー像は前記転写ロールＴ１y，Ｔ１m，Ｔ１c，Ｔ１kにより媒体搬送ベルトＢ上の記録媒体Ｓに重ねて転写される。また、単色画像、いわゆる、モノクロ画像の場合、感光体Ｐｋ上にＫ（黒）のトナー像のみが形成され、このＫ（黒）のトナー像のみが転写器Ｔ１kにより記録媒体Ｓに転写される。
トナー像転写後の感光体Ｐｙ〜Ｐｋは、除電領域Ｑｊｙ〜Ｑｊｋで除電部材Ｊｙ〜Ｊｋにより除電された後、清掃領域Ｑ４ｙ〜Ｑ４ｋにおいて感光体クリーナＣＬｙ〜ＣＬｋにより表面に残留したトナーが回収されて清掃され、再び帯電ロールＣＲｙ〜ＣＲｋにより帯電される。
【００２５】
前記トナー像が転写された記録媒体Ｓは、定着装置Ｆの加熱定着部材の一例としての加熱ロールＦｈと、加圧定着部材の一例としての加圧ロールＦｐとが圧接して形成される定着領域Ｑ５で定着される。画像が定着された記録媒体Ｓは、排出案内部材の一例としてのガイドコロＲｇｋにより案内されて、媒体排出部材の一例としての排紙ロールＲｈから媒体排出部ＴＲｈに排出される。
記録媒体Ｓが離隔した後の前記媒体搬送ベルトＢは、前記ベルトクリーナＣＬbにより清掃される。
また、プリンタＵの内部には、プリンタＵが設置されている環境の環境温度および環境湿度を検出する環境測定装置の一例として後述する図４に示す温度計ＳＮ２および湿度計ＳＮ３が配置されている。
【００２６】
（静電エアブロー装置）
図３は本発明の実施例１の画像形成装置における静電エアブロー装置の説明図であり、図３Ａは、静電エアブロー装置の要部拡大説明図、図３Ｂは、通常位置に移動した状態のルーバの要部拡大説明図、図３Ｃは、オフセット位置に移動した状態のルーバの要部拡大説明図である。
図１、図３において、前記開閉部Ｕ２には、前記排紙ロールＲｈの記録媒体Ｓ搬送方向下流側に荷電気体吹付け装置の一例としての静電エアブロー装置１が設けられている。
図３Ａにおいて、前記静電エアブロー装置１は、前記開閉部Ｕ２の左上端部に形成された空気路の一例としてのエア流路２を有する。前記エア流路２は、前記開閉部Ｕ２の左上端壁３に形成された空気取入口の一例としてのエア取入口４から右方に延びる上流路６と、前記上流路６の下流端から下方に延びる下流路７を有する。前記上流路６には、前記エア取入口４からの空気を下流側に流す気体移送装置の一例としての送風ファン８が配置されている。前記下流路７の上流側には、電荷発生器の一例としての放電器いわゆるコロトロン９が配置されている。前記コロトロン９の下方の前記下流路７には、ルーバ１１が配置されている。
【００２７】
図３Ｂにおいて、前記ルーバ１１は、前後方向に間隔を空けて複数配置され且つ、前記下流路７の壁面に回転可能に支持された左右方向に延びる回転軸１２を有する。前記回転軸１２には、前記回転軸１２を中心とする風向制御部材の一例としての風向板１３が固定されている。前記各風向板１３の上端部は、前後方向に延びる連動部材の一例としての連動バー１４に回転可能に支持されている。前記連動バー１４の後端部には、下方に延びる前後一対の被移動部１４ａ，１４ｂが形成されている。
【００２８】
前記開閉部Ｕ２の後部には、風向制御用駆動源の一例としてのルーバ制御モータＭ３により回転される回転板１６が回転可能に支持されている。前記回転板１６の回転中心１６ａから径方向外側に偏った位置には、前記被移動部１４ａ，１４ｂの間に挟まれた状態で支持される連動部材移動体の一例としての移動突起１７が支持されている。したがって、前記ルーバ制御モータＭ３が正回転、逆回転して、前記回転板１６が正回転、逆回転すると、前記移動突起１７が前側の前記被移動部１４ａ、または、後側の前記被移動部１４ｂを押して、前記被移動部１４が前後方向に移動し、前記被移動部１４の移動に連動して、前記風向板１３が図３Ｂに示す通常位置と図３Ｃに示すずらし排出位置の一例としてのオフセット位置との間を移動する。また、前記下流路７の下流端には、排紙ロールＲｈにより排出される記録媒体Ｓに対向して配置された吹出口の一例としてのエアブロー口１８が形成されている。
【００２９】
前記記録媒体搬送路ＳＨ、および前記記録媒体搬送路ＳＨに沿って配置された前記ピックアップロールＲｐ、前記さばきロールＲｓ、前記レジロールＲｒ、前記媒体搬送ベルトＢ、前記定着装置Ｆ、前記ガイドコロＲｇｈ、前記排紙ロールＲｈ、前記静電エアブロー１等によって実施例１の媒体搬送装置１９が構成されている。
【００３０】
（実施例１の制御部の説明）
図４は本発明の実施例１の画像形成装置の制御部が備えている各機能をブロック図で示した図である。
図４において、前記制御部Ｃは、外部との信号の入出力および入出力信号レベルの調節等を行う入出力信号調節部の一例としての入出力インターフェース、いわゆる、Ｉ／Ｏ、必要な処理を実行するためのプログラムおよびデータ等が記憶されたリードオンリーメモリ、いわゆる、ＲＯＭ、必要なデータを一時的に記憶するためのランダムアクセスメモリ、いわゆる、ＲＡＭ、前記ＲＯＭに記憶されたプログラムに応じた処理を行う中央演算処理装置、いわゆる、ＣＰＵ、ならびにクロック発振器等を有する計算機の一例としてのコンピュータにより構成されており、前記ＲＯＭに記憶されたプログラムを実行することにより種々の機能を実現することができる。
【００３１】
（制御部Ｃに接続された信号入力要素）
前記制御部Ｃには、次の信号出力要素の出力信号が入力されている。
ＵＩ：ユーザインタフェース
ユーザインタフェースＵＩは、表示部ＵＩ１、入力釦ＵＩ２等を備えており、それらが入力されたことを検出して、その検出信号を制御部Ｃに入力する。
ＳＮ２：温度計
温度計ＳＮ２は、プリンタＵの環境温度を検出し、その検出信号を制御部Ｃに入力する。
ＳＮ３：湿度計
湿度計ＳＮ３は、プリンタＵの環境湿度を検出し、その検出信号を制御部Ｃに入力する。
【００３２】
（制御部Ｃに接続された被制御要素）
制御部Ｃは、次の被制御要素Ｄ１〜Ｄ３，Ｅの制御信号を出力している。
Ｄ１：メインモータ駆動回路
主駆動源駆動回路の一例としてのメインモータ駆動回路Ｄ１は主駆動源の一例としてのメインモータＭ１を駆動することにより、図示しない駆動力伝達部材の一例としてのギヤを介して感光体ドラムＰｙ〜Ｐｋ、現像器Ｇｙ〜Ｇｋ、定着装置Ｆの加熱ロールＦｈ、排紙ロールＲｈ等を回転駆動する。
【００３３】
Ｄ２：風量制御回路
風量制御回路Ｄ２は、気体移送用駆動源の一例としての送風ファン駆動モータＭ２の動作を制御して送風ファン８を回転駆動する。
Ｄ３：風向制御回路
風向制御回路Ｄ３は、ルーバ制御モータＭ３の動作を制御してルーバ１１を回転駆動する。
【００３４】
Ｅ：電源回路
前記電源回路Ｅは、現像用電源回路Ｅ１、帯電用電源回路Ｅ２、転写ロール用電源回路
Ｅ３、加熱定着用電源回路Ｅ４と媒体除電用電源回路Ｅ５とを有し電源を供給する。
Ｅ１：現像用電源回路
現像用電源回路Ｅ１は現像器Ｇｙ〜Ｇｋに現像電圧を印加する。
Ｅ２：帯電用電源回路
帯電用電源回路Ｅ２は帯電ロールＣＲｙ〜ＣＲｋに帯電電圧を印加する。
Ｅ３：転写ロール用電源回路
転写ロール用電源回路Ｅ３は転写ロールＴ１ｙ〜Ｔ１ｋに転写電圧を印加する。
Ｅ４：加熱定着用電源回路
加熱定着用電源回路Ｅ４は定着装置Ｆの加熱ロールＦｈの加熱部材の一例としてのヒータに加熱用の電力を供給する。
Ｅ５：媒体除電用電源回路
媒体除電用電源回路Ｅ５は静電エアブロー装置１のコロトロン９に、放電用の電流を供給する。
【００３５】
（制御部Ｃの機能）
制御部Ｃは、前記信号入力要素の出力信号に応じて、前記各被制御要素の動作を制御するためのプログラムにより、次の機能実現手段を有している。
Ｃ１：ジョブ制御手段
画像形成動作制御手段の一例としてのジョブ制御手段Ｃ１は、入力釦ＵＩ２の入力に応じて、帯電ロールＣＲｙ〜ＣＲｋ、転写ロールＴ１ｙ〜Ｔ１ｋ、定着装置Ｆ等の動作を制御して、画像形成動作の一例としてのジョブを実行する。
【００３６】
Ｃ２：メインモータ回転制御手段
主駆動源回転制御手段の一例としてのメインモータ回転制御手段Ｃ２は、前記メインモータ駆動回路Ｄ１を介してメインモータＭ１の回転を制御して、感光体ドラムＰｙ〜Ｐｋや現像器Ｇｙ〜Ｇｋ、定着装置Ｆの加熱ロールＦｈ、排紙ロールＲｈ等の駆動を制御する。
【００３７】
Ｃ３：電源回路制御手段
電源回路制御手段Ｃ３は、電源回路Ｅの作動を制御して、現像器Ｇｙ〜Ｇｋや帯電ロールＣＲｙ〜ＣＲｋ、転写ロールＴ１ｙ〜Ｔ１ｋ、定着装置Ｆの加熱ロールＦｈのヒータ、コロトロン９等を制御する電圧、電流の供給を制御する。
【００３８】
Ｃ４：印刷設定判別手段
印刷設定判別手段Ｃ４は、媒体種類記憶手段Ｃ４Ａと、媒体種類判別手段Ｃ４Ｂと、カラー判別手段Ｃ４Ｃと、環境記憶手段Ｃ４Ｄと、環境判別手段Ｃ４Ｅと、ずらし排出判別手段Ｃ４Ｆとを有する。印刷設定判別手段Ｃ４は、プリンタＵによって実行されるジョブで使用される記憶媒体Ｓの種類やモノクロ、カラーの設定、温度、湿度等の環境、ずらし排出の設定について判別する。
【００３９】
Ｃ４Ａ：媒体種類記憶手段
媒体種類記憶手段Ｃ４Ａは、給紙トレイＴＲ１に収容された記憶媒体Ｓの種類である媒体種類を記憶する。実施例１の媒体種類記憶手段Ｃ４Ａは、前記媒体種類として、普通紙、ＯＨＰ用紙、厚紙、薄紙、コート紙等を記憶する。
【００４０】
Ｃ４Ｂ：媒体種類判別手段
媒体種類判別手段Ｃ４Ｂは、受信した画像情報に含まれる媒体種類の設定や使用される給紙トレイＴＲ１の設定に基づいて、使用される記録媒体Ｓの種類を判別する。
【００４１】
Ｃ４Ｃ：カラー判別手段
多色印刷画像判別手段の一例としてのカラー判別手段Ｃ４Ｃは、受信した画像情報に含まれる単色印刷いわゆるモノクロ印刷、または多色印刷いわゆるカラー印刷の設定情報に基づいて、実行されるジョブが、モノクロまたはカラーであるかを判別する。
【００４２】
Ｃ４Ｄ：環境記憶手段
環境記憶手段Ｃ４Ｄは、温度、湿度等の環境について記憶する。実施例１の環境記憶手段Ｃ４Ｄでは、温度の環境について、環境温度が２８℃以上の状態を「高温」、２８℃未満１２℃以上の状態を「常温」、１２℃未満の状態を「低温」として記憶する。また、実施例１の環境記憶手段Ｃ４Ｄでは、湿度の環境について、環境湿度が８５％ＲＨ以上の状態を「高湿」、８５％ＲＨ未満４０％ＲＨ以上の状態を「常湿」、４０％ＲＨ未満の状態を「低湿」として記憶する。なお、「高温」の環境または「低湿」の環境であることを判別する具体的な数値は、例示した数値に限定されず、設計や仕様等に応じて任意に変更可能である。
【００４３】
Ｃ４Ｅ：環境判別手段
環境判別手段Ｃ４Ｅは、前記温度計ＳＮ２と前記湿度計ＳＮ３とによって検出された環境温度や環境湿度と、環境記憶手段Ｃ４Ｄに記憶された情報とに基づき、ジョブが実行される環境を判別する。
Ｃ４Ｆ：ずらし排出設定判別手段
ずらし排出設定判別手段Ｃ４Ｆは、媒体排出部ＴＲｈ上に排出された記録媒体Ｓの位置情報に基づき、前記記録媒体Ｓの搬送方向に垂直な幅方向に前記記録媒体Ｓをずらして排出するずらし排出、いわゆるオフセット排出の設定の有無について判別する。
【００４４】
Ｃ５：静電エアブロー制御手段
媒体除電制御手段の一例としての静電エアブロー制御手段Ｃ５は、条件設定記憶手段Ｃ５Ａと、ブロー設定手段Ｃ５Ｂと、駆動時期判別手段Ｃ５Ｃと、風量制御手段Ｃ５Ｄと、電荷量制御手段Ｃ５Ｅと、ずらし排出制御手段Ｃ５Ｆとを有する。前記静電エアブロー装置１を制御し、排紙ロールＲｈにより媒体排出部ＴＲｈに向けて排出された記録媒体Ｓに対して吹付ける空気の風量、電荷量、風向を制御する。
【００４５】
図５は本発明の実施例１の条件設定記憶手段が記憶する条件設定テーブルであり、図５Ａは紙種テーブル、図５Ｂは環境テーブル、図５Ｃはカラー設定テーブル、図５Ｄはずらし排出設定テーブルである。
Ｃ５Ａ：条件設定記憶手段
条件設定記憶手段Ｃ５Ａは、紙種テーブル記憶手段Ｃ５A1と、環境テーブル記憶手段Ｃ５A2と、カラー設定テーブル記憶手段Ｃ５A3と、ずらし排出設定テーブル記憶手段Ｃ５A4とを有する。前記条件設定記憶手段Ｃ５Ａは、図５Ａ〜図５Ｄの各テーブルに記載されたプリンタＵによって実行されるジョブで使用される記憶媒体Ｓの種類や温度、湿度等の環境、モノクロ、カラーの設定、オフセット排出の設定の情報に対応して予め設定されている、静電エアブロー装置１の記録媒体Ｓに対して吹付ける空気の風量、電荷量、風向の条件設定を記憶する。
【００４６】
Ｃ５A1：紙種テーブル記憶手段
紙種一覧表記憶手段の一例としての紙種テーブル記憶手段Ｃ５A1は、記憶媒体Ｓの種類
と、風量および電荷量との対応関係を示す紙種テーブルＴＡ１を記憶する。図５Ａに示す実施例１の紙種テーブルＴＡ１では、「普通紙」に対して、風量は「標準」、電荷量は「標準」が記憶され、「ＯＨＰ用紙」に対して、風量は「強」、電荷量は「多」が記憶され、「厚紙」に対して、風量は「強」、電荷量は「標準」が記憶され、「薄紙」に対して、風量は「弱」、電荷量は「標準」が記憶され、「コート紙」に対して、風量は「標準」、電荷量は「多」が記憶される。
【００４７】
Ｃ５A2：環境テーブル記憶手段
環境一覧表記憶手段の一例としての環境テーブル記憶手段Ｃ５A2は、環境温度、環境湿度と、風量および電荷量との対応関係を示す環境テーブルＴＡ２を記憶する。図５Ｂに示す実施例１の環境テーブルＴＡ２では、環境温度が２８℃以上の「高温」に対して、風量は「標準」、電荷量は「少」が記憶され、環境温度が２８℃未満１２℃以上の「常温」に対して、風量は「標準」、電荷量は「標準」が記憶され、環境温度が１２℃未満の「低温」に対して、風量は「標準」、電荷量は「多」が記憶される。また、環境湿度が８５％ＲＨ以上の「高湿」に対して、風量は「標準」、電荷量は「少」が記憶され、環境湿度が８５％ＲＨ未満４０％ＲＨ以上の「常湿」に対して、風量は「標準」、電荷量は「標準」が記憶され、環境湿度が４０％ＲＨ未満の「低湿」に対して、風量は「標準」、電荷量は「多」が記憶される。
【００４８】
Ｃ５A3：カラー設定テーブル記憶手段
多色印刷画像設定一覧表記憶手段の一例としてのカラー設定テーブル記憶手段Ｃ５A3は、モノクロ、カラーの設定と、風量および電荷量との対応関係を示すカラー設定テーブルＴＡ３を記憶する。図５Ｃに示す実施例１のカラー設定テーブルＴＡ３では、「モノクロ」に対して、風量は「強」、電荷量は「標準」が記憶され、「カラー」に対して、風量は「標準」、電荷量は「標準」が記憶される。
Ｃ５A4：ずらし排出設定テーブル記憶手段
ずらし排出設定一覧表記憶手段の一例としてのずらし排出設定テーブル記憶手段Ｃ５A4は、オフセット排出の設定の有無と、首振り設定の有無との対応関係を示すずらし排出設定テーブルＴＡ４を記憶する。図５Ｄに示す実施例１のずらし排出設定テーブルＴＡ４では、オフセット排出の設定が「有」の場合に対して、首振り設定は「有」が記憶され、オフセット排出の設定が「無」の場合に対して、首振り設定は「無」が記憶される。
【００４９】
Ｃ５Ｂ：ブロー設定手段
吹付け設定手段の一例であるブロー設定手段Ｃ５Ｂは、風量設定手段Ｃ５B1と、電荷量設定手段Ｃ５B2と、ずらし排出有無設定手段Ｃ５B3とを有する。前記ブロー設定手段Ｃ５Ｂは、画像形成を実行する条件である画像形成実行条件と、前記条件設定記憶手段Ｃ５Ａに記憶された各条件に対応する吹付け設定とに基づいて、静電エアブロー１による吹付けの設定を行う。実施例１のブロー設定手段Ｃ５Ｂは、プリンタＵによって実行されるジョブで使用される記憶媒体Ｓの種類と、ジョブ実行時の温度、湿度等の環境と、実行されるジョブのモノクロ、カラーの設定と、実行されるジョブのオフセット排出の設定の有無とからなる画像形成実行条件と、条件設定記憶手段Ｃ５Ａに記憶された画像形成実行条件に対応する設定とに基づいて、静電エアブロー装置１から記録媒体Ｓに対して吹付ける空気の風量、電荷量、風向からなる吹付け設定を行う。
【００５０】
Ｃ５B1：風量設定手段
風量設定手段Ｃ５B1は、画像形成を実行する条件である画像形成実行条件と、前記紙種テーブル記憶手段Ｃ５A1と、前記環境テーブル記憶手段Ｃ５A2と、前記カラー設定テーブル記憶手段Ｃ５A3とに記憶された各条件に対応する送風設定とに基づいて、送風ファン８から送風される空気の風量を設定する。実施例１の風量設定手段Ｃ５B1は、プリンタＵによって実行されるジョブで使用される記憶媒体Ｓの種類と、ジョブ実行時の温度、湿度等の環境と、実行されるジョブのモノクロ、カラーの設定とからなる画像形成実行条件と、前記紙種テーブルＴＡ１と、前記環境テーブルＴＡ２と、前記カラー設定テーブルＴＡ３とに記憶された画像形成実行条件に対応する設定とに基づいて、前記送風ファン８から送風される空気の風量の設定を行う。
なお、前記風量設定手段Ｃ５B1では、画像形成実行条件内の各条件に対し、条件によって異なる風量の設定が生じた場合には、最も風量が多い設定を採用するように設定されている。
【００５１】
Ｃ５B2：電荷量設定手段
電荷量設定手段Ｃ５B2は、画像形成を実行する条件である画像形成実行条件と、前記紙種テーブル記憶手段Ｃ５A1と、前記環境テーブル記憶手段Ｃ５A2と、前記カラー設定テーブル記憶手段Ｃ５A3とに記憶された各条件に対応する電荷量設定とに基づいて、コロトロン９から放電される電荷の量を設定する。実施例１の電荷量設定手段Ｃ５B2は、プリンタＵによって実行されるジョブで使用される記憶媒体Ｓの種類と、ジョブ実行時の温度、湿度等の環境と、実行されるジョブのモノクロ、カラーの設定とからなる画像形成実行条件と、前記紙種テーブルＴＡ１と、前記環境テーブルＴＡ２と、前記カラー設定テーブルＴＡ３とに記憶された画像形成実行条件に対応する設定とに基づいて、前記コロトロン９から放電される電荷の量の設定を行う。
なお、前記電荷量設定手段Ｃ５B2では、画像形成実行条件内の各条件に対し、条件によって異なる電荷の量の設定が生じた場合には、最も電荷の量が多い設定を採用するように設定されている。
【００５２】
Ｃ５B3：ずらし排出有無設定手段
ずらし排出有無設定手段Ｃ５B3は、画像形成を実行する条件である画像形成実行条件と、前記ずらし排出設定テーブル記憶手段Ｃ５A4に記憶された各条件に対応するオフセット排出設定とに基づいて、ルーバ１１の向きについて設定する。実施例１のずらし排出有無設定手段Ｃ５B3は、プリンタＵによって実行されるジョブで使用されるオフセット排出の設定の有無からなる画像形成実行条件と、前記ずらし排出設定テーブルＴＡ４に記憶された画像形成実行条件に対応する設定とに基づいて、オフセット排出が設定されている場合には、設定に応じて記憶媒体Ｓ一枚毎、または記憶媒体Ｓの束一部毎に、前記ルーバ１１の向きを変化させる。
【００５３】
Ｃ５Ｃ：駆動時期判別手段
駆動時期判別手段Ｃ５Ｃは、排紙ロールＲｈから記録媒体Ｓが排出される排出時期にあわせて、静電エアブロー装置１を駆動させ、前記記録媒体Ｓの表面に空気を吹付ける期間である駆動時期を判別する。実施例１の駆動時期判別手段Ｃ５Ｃは、前記排紙ロールＲｈが駆動中か否かを判断することにより、前記静電エアブロー１の駆動時期であるか否かを判別する。
【００５４】
Ｃ５Ｄ：風量制御手段
風量制御手段Ｃ５Ｄは、前記風量設定手段Ｃ５B1で設定された風量に基づいて、前記風量制御回路Ｄ２を介して、前記送風ファン駆動モータＭ２を制御し、送風ファン８の回転数を制御することで、前記送風ファン８から送風される風量を制御する。また実施例１の風量制御手段Ｃ５Ｄは、前記駆動時期判別手段Ｃ５Ｃにより判別された静電エアブロー１の駆動時期に、前記風量設定手段Ｃ５B1で設定された風量に基づいて、前記送風ファン８から記録媒体Ｓの表面に送風される空気の風量を制御する。
【００５５】
Ｃ５Ｅ：電荷量制御手段
電荷量制御手段Ｃ５Ｅは、前記電荷量設定手段Ｃ５B2で設定された電荷量に基づいて、前記媒体除電用電源回路Ｅ５を介して前記コロトロン９から放電される電荷の量を制御して、静電エアブロー装置１から吹付けられる空気による電荷量を制御する。また実施例１の電荷量制御手段Ｃ５Ｅは、前記駆動時期判別手段Ｃ５Ｃにより判別された前記静電エアブロー１の駆動時期に、前記電荷量設定手段Ｃ５B2で設定された電荷量に基づいて、静電エアブロー装置１から記録媒体Ｓの表面に吹付けられる空気による電荷量を制御する。
【００５６】
Ｃ５Ｆ：ずらし排出制御手段
風向制御手段の一例としてのずらし排出制御手段Ｃ５Ｆは、前記ずらし排出有無設定手段Ｃ５B3で設定されたルーバ１１の向きに基づいて、前記風向制御回路Ｄ３を介し、前記ルーバ制御モータＭ３を介してルーバ１１の向きを制御し、静電エアブロー装置１から吹付けられる空気の風向を制御する。また実施例１のずらし排出制御手段Ｃ５Ｆは、駆動時期判別手段Ｃ５Ｃにより判別された静電エアブロー１の駆動時期に、前記ずらし排出有無設定手段Ｃ５B3で設定された前記ルーバ１１の向きに基づいて、前記静電エアブロー装置１から記録媒体Ｓの表面に吹付けられる風向を制御する。
【００５７】
（画像形成装置のフローチャートの説明）
（エアブロー制御処理）
図６は本発明の実施例１のプリンタでの静電エアブロー制御処理のフローチャートである。
図６のフローチャートの各ＳＴ（ステップ）の処理は、プリンタＵのＲＯＭ等に記憶されたプログラムに従って行われる。また、この処理はプリンタＵの他の各処理と並行して並列処理で実行される。
図６に示すフローチャートはプリンタＵの電源が投入された時に開始される。
【００５８】
図６のＳＴ１において、ジョブが開始されたか否かを判別する。イエス（Ｙ）の場合はＳＴ２に進み、ノー（Ｎ）の場合はＳＴ１を繰り返す。
ＳＴ２において、実行されるジョブで使用される紙種に対応する風量、電荷量を、紙種テーブルＴＡ１に基づいて設定する。そして、ＳＴ３に進む。
ＳＴ３において、ジョブが実行される環境に対応する風量、電荷量を、環境テーブルＴＡ２に基づいて設定する。そして、ＳＴ４に進む。
ＳＴ４において、実行されるジョブのカラー設定に対応する風量、電荷量をカラー設定テーブルＴＡ３に基づいて設定する。そして、ＳＴ５に進む。
ＳＴ５において、実行されるジョブのオフセット搬出設定に対応して、オフセット排出の有無をずらし排出設定テーブルＴＡ４に基づいて設定する。そして、ＳＴ６に進む。
【００５９】
ＳＴ６において、排紙ロールが駆動中か否かを判別する。イエス（Ｙ）の場合は、ＳＴ７に進み、ノー（Ｎ）の場合は、ＳＴ９に進む。
ＳＴ７において、静電エアブロー装置が作動中か否かを判別する。イエス（Ｙ）の場合は、ＳＴ６に戻り、ノー（Ｎ）の場合は、ＳＴ８に進む。
ＳＴ８において、ＳＴ２〜ＳＴ５での設定に応じて静電エアブロー装置が作動される。そして、ＳＴ６に戻る。
ＳＴ９において、静電エアブロー装置が作動中であるか否かを判別する。イエス（Ｙ）の場合はＳＴ１０に進み、ノー（Ｎ）の場合はＳＴ１１に進む。
ＳＴ１０において、静電エアブロー装置が停止される。そして、ＳＴ１１に進む。
ＳＴ１１において、ジョブが終了したか否かを判別する。イエス（Ｙ）の場合はＳＴ１に戻り、ノー（Ｎ）の場合はＳＴ６に戻る。
【００６０】
（実施例１の作用）
前記構成を備えた実施例１のプリンタＵでは、ジョブが実行される際に、実行されるジョブで使用される記憶媒体Ｓの種類と、実行されるジョブのモノクロ、カラーの設定と、前記温度計ＳＮ２と、前記湿度計ＳＮ３とによって検出されたジョブ実行時の環境温度、環境湿度と、実行されるジョブのオフセット排出の設定の有無とからなる画像形成実行条件が検出される。
そして、画像形成実行条件に対応する風量、電荷量、風向が自動的に設定され、設定された風量、電荷量、風向に従い、静電エアブロー装置１の送風ファン８、コロトロン９、ルーバ１１が制御される。静電エアブロー装置１は、排紙ロールＲｈが駆動を開始すると、作動し、媒体排出部ＴＲｈに向けて排出される記録媒体Ｓの表面に対して荷電した空気すなわち静電エアを吹付ける。
【００６１】
従来の画像形成装置では、記録媒体が搬送される際に、記録媒体と、搬送ロール等との接触、摩擦等により記録媒体が帯電し、媒体排出部に排出される記録媒体と、積載されている記録媒体とが静電気により吸着したりして、記録媒体による積み重ねの整合性が悪くなるということがあった。これに対して、実施例１のプリンタＵでは、静電エアブロー装置１が、帯電した記録媒体Ｓの表面に対し、イオン化された空気を含む静電エアを吹付け、記録媒体Ｓの表面が電気的に中和される。したがって、実施例１では、静電気による記録媒体Ｓどうしの貼り付きの発生が低減され、媒体排出部ＴＲｈでの記録媒体Ｓによる積み重ねの整合性が向上される。
【００６２】
特に実施例１では、記録媒体Ｓの種類や、温度や湿度の環境等の条件に応じて、風量、電荷量、風向が設定される。
例えば、実施例１では、接触、摩擦等により帯電しやすいＯＨＰ用紙やコート紙に対して、前記コロトロン９の電荷量は他の種類の記録媒体と比べて多く設定されている。よって、ＯＨＰ用紙やコート紙には、他の種類の記録媒体よりも多くのイオン化された空気を含む静電エアが吹付けられる。したがって、媒体の種類に適した静電エアが供給されている。
そして、実施例１では、最も記録媒体Ｓが帯電しやすい「低温」環境では前記コロトロン９の電荷量が多く、最も帯電しにくい「高温」環境では、前記コロトロン９の電荷量が少なくなっている。よって、２８℃以上の「高温」の場合には、「常温」の場合よりもイオン化された空気が少ない静電エアが吹付けられ、１２℃未満の「低温」の場合には、「常温」の場合よりもイオン化された空気を多く含む静電エアが吹付けられており、温度環境に適した静電エアが供給されている。
【００６３】
さらに、実施例１では、最も記録媒体Ｓが帯電しやすい「低湿」環境では、前記コロトロン９の電荷量が多く、最も帯電しにくい「高湿」環境では、前記コロトロン９の電荷量が少なくなっている。よって、環境湿度が８５％ＲＨ以上の「高湿」の場合には、「常温」の場合よりもイオン化された空気が少ない静電エアが吹付けられ、環境湿度が４０％ＲＨ未満の「低湿」の場合には、「常温」の場合よりもイオン化された空気を多く含む静電エアが吹付けられており、湿度環境に適した静電エアが供給されている。
よって、記録媒体Ｓの種類や温度や湿度等の条件に応じて前記コロトロン９の電荷量が設定されており、記録媒体Ｓは効率的に除電され、静電気による記録媒体Ｓどうしの貼り付きの発生が低減され、媒体排出部ＴＲｈでの記録媒体Ｓの積み重ねの整合性が向上される。
そのうえで、媒体種類、温度、湿度等の条件によって異なる電荷量の設定が生じた場合には、最も電荷量が多い設定を採用するように設定することにより、記録媒体Ｓを除電する電荷の量が不足することが低減され、媒体排出部ＴＲｈでの記録媒体Ｓの積み重ねの整合性がさらに向上される。
【００６４】
また、実施例１では、普通紙と比べて熱容量が大きく温度が下がりにくいＯＨＰ用紙や厚紙に対して、前記送風ファン８の風量は多く設定されており、また、普通紙と比べて熱容量が小さく温度が下がりやすい薄紙に対して、風量は少なく設定されている。よって、ＯＨＰ用紙や厚紙には、他の種類の記録媒体よりも風量の多い静電エアが吹付けられ、薄紙には、他の種類の記録媒体よりも風量の少ない静電エアが吹付けられる。したがって、媒体の種類に適した静電エアが供給されている。
よって、記録媒体Ｓの種類に応じて、前記送風ファン８の風量が設定され、記録媒体Ｓは効率的に冷却される。したがって、定着領域Ｑ５通過時に加熱された記録媒体Ｓが冷却されずに記録媒体Ｓ上のトナーが固まっていない状態で、記録媒体Ｓが前記媒体搬出部ＴＲｈに積載されてしまうことが低減され、記録媒体Ｓどうしの貼り付きや、トナー像の崩れの発生が低減される。
【００６５】
また、実施例１では、カラー印刷を実行する場合と比べて単位時間あたりの印刷量が多いモノクロ印刷を実行する場合には、カラー印刷を実行する場合よりも前記送風ファン８の風量が多く設定されており、記録媒体Ｓは、前記静電エアブロー装置１から風量の多い静電エアが吹付けられる。よって、媒体排出部ＴＲｈで、より多くの記録媒体Ｓが積み重ねられるモノクロ印刷で、録媒体Ｓが冷却されにくくなることが低減され、記録媒体Ｓどうしの貼り付きが発生することが低減される。さらに、カラー、モノクロ設定の条件に応じて、前記送風ファン８の風量が設定され、記録媒体Ｓは効率的に冷却され、冷却にかかる消費電力が低減される。
そのうえ、媒体種類、カラー、モノクロ設定の条件によって異なる風量の設定が生じた場合には、最も風量が多い設定を採用するように設定することにより、記録媒体Ｓへの静電エアの風量の不足が低減され、媒体排出部ＴＲｈでの記録媒体Ｓどうしの張付きや、トナー像の崩れの発生が低減される。
【００６６】
また、実施例１のプリンタＵでは、オフセット排出時には、前記静電エアブロー装置１のルーバ１１が制御されて、記録媒体Ｓに対する静電エアの吹向け方向が制御され、前記媒体排出部ＴＲｈで幅方向にずれた位置にオフセット排出される。したがって、実施例１では、前記静電エアブロー装置１にオフセット排出機能を持たせることで、記録媒体Ｓの除電と、オフセット排出用と、を共通の前記静電エアブロー装置１で行うことが可能となっている。
【００６７】
また、実施例１のプリンタＵでは、排紙ロールＲｈの駆動が開始されると、前記静電エアブロー装置１の作動が開始され、前記排紙ロールＲｈから前記媒体排出部ＴＲｈに向けて排出される記録媒体Ｓに対して静電エアを吹付ける。また、排紙ロールＲｈの駆動が停止されると、前記静電エアブロー装置１の作動が停止される。
よって、前記排紙ロールＲｈの作動、停止に連動して、前記静電エアブロー１が作動、停止され、記録媒体Ｓが排出される期間に静電エアブロー１が作動している。したがって、前記静電エアブロー１の無駄な作動が少なくなっている。
【００６８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ09）を下記に例示する。
（Ｈ01）前記実施例において、画像形成装置の一例としてのプリンタＵを例示したが、これに限定されず、ＦＡＸや複写機あるいはこれらすべて、または複数の機能を備えた複合機とすることも可能である。また、電子写真方式の画像形成装置に限定されず、いわゆるインクジェット記録方式の画像形成装置において、実施例記載の構成を適用することも可能である。なお、インクジェット記録方式の画像形成装置に配置された静電エアブロー装置１を用いることで、記録媒体Ｓを除電しつつ、吐出されたインクを乾燥させることも可能である。
【００６９】
（Ｈ02）前記実施例において、静電エアブロー装置１から記録媒体Ｓに対して吹付ける空気の風量、電荷量、風向の設定条件として、プリンタＵによって実行されるジョブで使用される記憶媒体Ｓの種類と、ジョブ実行時の温度、湿度等の環境と、実行されるジョブのモノクロ、カラーの設定と、実行されるジョブのオフセット排出の設定の有無とからなる画像形成実行条件のパラメータを例示したが、この画像形成実行条件のパラメータに限定されず、これらの中のいくつかのパラメータをなくしたり、他のパラメータを追加することも可能である。例えば、他のパラメータとして、ジョブ実行時の画像濃度も画像形成実行条件に加えることも可能である。
【００７０】
（Ｈ03）前記実施例において、気体移送装置の一例としての送風ファン８が上流路６に設置されることを例示したが、この構成に限定されず、例えば、前記送風ファン８を下流路７に設置することも可能である。また、ファンの数は１つに限定されず、任意の数を設置することも可能であり、前記上流路６と前記下流路７との両方に設置することも可能である。
（Ｈ04）前記実施例において、ルーバ１１の風向板１３を通常位置からオフセット位置にずらし、記録媒体Ｓに吹付ける静電エアの風向を変えることで行うオフセット排出を例示したが、この構成に限定されず、例えば、前記ルーバ１１を省略し、特開平８−２０８０９８号公報記載の従来技術であるオフセット排出装置を利用することも可能である。
【００７１】
（Ｈ05）前記実施例において、排紙ロールＲｈの作動、停止に連動して、静電エアブロー１が作動、停止され、記録媒体Ｓが排出される期間に静電エアブロー１が作動することを例示したが、これに限定されず、前記排紙ロールＲｈに連動せずに、前記静電エアブロー装置１を作動、停止させることも可能である。また、前記排紙ロールＲｈとは異なる部材、例えば、記録媒体搬送路ＳＨ上に記録媒体Ｓが記録媒体搬送路ＳＨ上を通過することを判定するセンサを設置し、記録媒体Ｓが前記記録媒体搬送路ＳＨを通過すると、静電エアブロー１を作動させ、その後設定された時間内に、記録媒体Ｓが前記記録媒体搬送路ＳＨを通過しない場合には、前記静電エアブロー１を停止させるように構成することも可能である。
【００７２】
（Ｈ06）前記実施例において、静電エアブロー装置１が記録媒体Ｓに対し画像形成実行条件に適した静電エアを供給する際に、媒体種類、温度、湿度等の条件によって異なる電荷量や風量の設定が生じた場合には、最も電荷量や風量が多い設定を採用するように設定していたが、これに限定されず、電荷量や風量が最も少ない設定や、設定の平均値や、設定の中間値の電荷量や風量を採用するように設定することも可能である。
（Ｈ07）前記実施例において、加熱ロールＦｈの記録媒体Ｓ搬送方向下流側に、記録媒体Ｓに対してイオン化された空気を含む静電エアを吹付ける静電エアブロー装置１を設置することを例示したが、この構成に限定されず、前記静電エアブロー装置１を設置せずに、例えば、プリンタＵ内部の定着領域Ｑ５の記録媒体Ｓ搬送方向下流側に空気をイオン化することで記録媒体Ｓを除電する除電器、いわゆるイオナイザ−を設置することも可能である。すなわち、送風、冷却機能を省略し、除電機能のみを有する構成とすることも可能である。
【００７３】
（Ｈ08）前記実施例において、図５の各条件設定テーブルで画像形成実行条件のパラメータに対応する条件、数値を例示したが、この構成に限定されず、画像形成実行条件のパラメータに対応する条件、数値は、画像形成装置の設計や仕様等に応じて任意に変更可能である。例えば、カラー設定テーブルＴＡ３の電荷量の設定ついて、「モノクロ」に対して「多」が記憶され、「カラー」に対して「標準」が記憶されるように設定することも可能である。すなわち、モノクロ印刷の方がカラー印刷よりも単位時間あたりの印刷枚数が多い構成の場合、モノクロ印刷を実行すると、カラー印刷を実行する場合と比べて単位時間あたりの印刷量が多くなり、静電エアブロー装置１の下方を通過する記憶媒体Ｓの単位時間あたりの表面積も広くなる。よって、モノクロとカラーで電荷量が同じ場合には、静電エアブロー装置１の記録媒体Ｓを除電する電荷の量が不足する可能性があるが、モノクロ印刷で電荷量が多くなる設定を採用することで、記録媒体Ｓを除電する電荷の量が不足することが低減され、媒体排出部ＴＲｈでの記録媒体Ｓの積み重ねの整合性をさらに向上させることも可能である。
【００７４】
（Ｈ09）前記実施例において、ルーバ１１の風向板１３を通常位置からオフセット位置にずらし、記録媒体Ｓに吹付ける静電エアの風向を変えることで行うオフセット排出を例示したが、この構成に限定されず、ルーバ制御モータＭ３の回転量を制御し風向板１３の傾斜角度を任意の角度に設定し静電エアを記録媒体Ｓに対して吹付けることで、記録媒体Ｓを媒体排出部ＴＲｈ上の左右方向にずらす量を制御することが可能である。
【図面の簡単な説明】
【００７５】
【図１】図１は本発明の実施例１の画像形成装置の全体説明図である。
【図２】図２は本発明の実施例１の着脱体の一例である可視像形成装置の説明図である。
【図３】図３は本発明の実施例１の画像形成装置における静電エアブロー装置の説明図であり、図３Ａは、静電エアブロー装置の要部拡大説明図、図３Ｂは、通常位置に移動した状態のルーバの要部拡大説明図、図３Ｃは、オフセット位置に移動した状態のルーバの要部拡大説明図である。
【図４】図４は本発明の実施例１の画像形成装置の制御部が備えている各機能をブロック図で示した図である。
【図５】図５は本発明の実施例１の条件設定記憶手段が記憶する条件設定テーブルであり、図５Ａは紙種テーブル、図５Ｂは環境テーブル、図５Ｃはカラー設定テーブル、図５Ｄはずらし排出設定テーブルである。
【図６】図６は本発明の実施例１のプリンタでの静電エアブロー制御処理のフローチャートである。
【符号の説明】
【００７６】
１…荷電気体吹付け装置、
１３…風向制御部材、
１９…媒体搬送装置、
Ｃ５Ｂ…吹付け設定手段、
Ｃ５Ｆ…風向制御手段、
Ｒｈ…媒体排出部材、
Ｓ…媒体、
ＴＲｈ…媒体積載部、
Ｕ…画像形成装置、
ＵＹ，ＵＭ，ＵＣ，ＵＫ…画像記録装置。
【図１】
2010039141.tif 000003
【図２】
2010039141.tif 000004
【図３】
2010039141.tif 000005
【図４】
2010039141.tif 000006
【図５】
2010039141.tif 000007
【図６】
2010039141.tif 000008